(57)【要約】販売者の管理下にある有線または無線のカード照会機や支払いゲートウェイを用いることなく、購買者がカードで代金を決済できる代金決済サービスのための方法及び装置が提供される。本発明に係る方法は、販売者が金融会社に加盟店登録をした後に提供された販売加盟店情報を確認し、販売加盟店識別情報を生成して提供する段階を含む。販売加盟店識別情報及び取引内訳情報を含むように生成された決済バーコードを提供された購買者が、その購買者の金融決済用カード及び決済バーコードを用いて行った決済要請が受領されると、決済バーコードが判読されて販売加盟店識別情報が収集され、対応する販売者の販売加盟店情報が確認される。そして、購買者の販売者に対する決済承認が金融会社に対して要請される。
2009521764.tif 000002
【特許請求の範囲】
【請求項１】
販売者が金融会社に加盟店登録をした後に提供された販売加盟店情報を確認し、販売加盟店識別情報を生成して提供する第１段階と、
販売者からの要請に応じて、前記販売加盟店識別情報及び購買者が販売者に決済しなければならない取引の取引内訳情報を収集して、前記販売加盟店識別情報及び前記取引内訳情報を含み、かつ購買者に提供される決済バーコードを生成する第２段階と、
前記決済バーコードを提供された購買者が該購買者の金融決済用カード及び前記決済バーコードを用いて行った決済要請の受領に応じて、前記決済バーコードを判読して前記販売加盟店識別情報を収集し、対応する販売者の販売加盟店情報を確認する第３段階と、
収集された購買者の前記取引内訳情報及び確認された販売者の前記販売加盟店情報を用いて、前記金融決済用カードに対応する金融会社に対して、購買者の販売者に対する決済の決済承認要請をする第４段階と、を含むバーコードを用いた代金決済サービスの方法。
【請求項２】
前記第２段階と第３段階の間に、販売者が、前記決済バーコードを購買者に提供すると共に決済要請を行う段階をさらに含むことを特徴とする請求項１に記載のバーコードを用いた代金決済サービスの方法。
【請求項３】
前記第２段階と第３段階の間に、サービス会社が、前記決済バーコードを購買者に提供すると共に決済要請を行う段階をさらに含むことを特徴とする請求項１に記載のバーコードを用いた代金決済サービスの方法。
【請求項４】
前記販売加盟店識別情報は、１次元バーコード、２次元バーコード、及び３次元バーコードのうちから選択されたいずれか１つの形態で生成されることを特徴とする請求項１乃至３のいずれか１項に記載のバーコードを用いた代金決済サービスの方法。
【請求項５】
前記決済バーコードは、１次元バーコード、２次元バーコード、及び３次元バーコードのうちから選択されたいずれか１つの形態で生成されることを特徴とする請求項１乃至３のいずれか１項に記載のバーコードを用いた代金決済サービスの方法。
【請求項６】
前記第３段階において、購買者に前記決済バーコード及び前記取引内訳情報が提供されることを特徴とする請求項１乃至３のいずれか１項に記載のバーコードを用いた代金決済サービスの方法。
【請求項７】
前記第３段階において、購買者が前記金融決済用カード及び前記決済バーコードを用いて行う決済要請は、販売者が所有及び管理していないバーコード決済用カード照会機を使用して行われることを特徴とする請求項１乃至３のいずれか１項に記載のバーコードを用いた代金決済サービスの方法。
【請求項８】
前記第４段階において、前記決済承認要請は、前記第３段階で確認された販売者の前記販売加盟店情報、前記決済バーコードの情報から確認された前記取引内訳情報、及びカード顧客情報を用いて行なわれることを特徴とする請求項１乃至３のいずれか１項に記載のバーコードを用いた代金決済サービスの方法。
【請求項９】
前記第４段階後に、金融会社が、サービス会社から提供された情報に基づいて承認が可能か否かを審査し、販売者に対する決済を行う第５段階をさらに含むことを特徴とする請求項１乃至３のいずれか１項に記載のバーコードを用いた代金決済サービスの方法。
【請求項１０】
前記金融決済用カードは、クレジットカード、デビットカード、及びキャッシュカードのうちから選択された１つを含むことを特徴とする請求項１乃至３のいずれか１項に記載のバーコードを用いた代金決済サービスの方法。
【請求項１１】
販売者が金融会社に加盟店登録をした後に提供された販売加盟店情報を確認し、販売加盟店識別情報を生成して提供する第１段階と、
前記販売加盟店識別情報及び購買者が販売者に決済しなければならない取引の取引内訳情報を含む決済バーコードの生成及び前記決済バーコードの購買者への提供の両方が販売者によって実施された後、前記決済バーコードを提供された購買者が該購買者の金融決済用カード及び前記決済バーコードを用いて行った決済要請の受領に応じて、前記決済バーコードを判読して前記販売加盟店識別情報を収集し、対応する販売者の販売加盟店情報を確認する第２段階と、
収集された購買者の前記取引内訳情報及び販売者の確認された前記販売加盟店情報を用いて、前記金融決済用カードに対応する金融会社に対して、購買者の販売者に対する決済の決済承認要請をする第３段階と、を含むバーコードを用いた代金決済サービスの方法。
【請求項１２】
前記販売加盟店識別情報は、１次元バーコード、２次元バーコード、及び３次元バーコードのうちから選択されたいずれか１つの形態で生成されることを特徴とする請求項１１に記載のバーコードを用いた代金決済サービスの方法。
【請求項１３】
前記決済バーコードは、１次元バーコード、２次元バーコード、及び３次元バーコードのうちから選択されたいずれか１つの形態で生成されることを特徴とする請求項１１に記載のバーコードを用いた代金決済サービスの方法。
【請求項１４】
前記第２段階において、購買者に、前記決済バーコードに加えて、購買者が決済しなければならない取引の取引内訳情報が提供されることを特徴とする請求項１１に記載のバーコードを用いた代金決済サービスの方法。
【請求項１５】
前記第２段階において、購買者が前記金融決済用カード及び前記決済バーコードを用いて行う決済要請は、販売者が所有及び管理していないバーコード決済用カード照会機を使用して行われることを特徴とする請求項１１に記載のバーコードを用いた代金決済サービスの方法。
【請求項１６】
前記第３段階において、前記決済承認要請は、前記第３段階で確認された販売者の前記販売加盟店情報、前記決済バーコードの情報から確認された前記取引内訳情報、及びカード顧客情報を用いて行なわれることを特徴とする請求項１１に記載のバーコードを用いた代金決済サービスの方法。
【請求項１７】
前記第３段階後に、金融会社が、サービス会社から提供された情報に基づいて承認が可能か否かを審査し、販売者に対する決済を行う第４段階をさらに含むことを特徴とする請求項１１に記載のバーコードを用いた代金決済サービスの方法。
【請求項１８】
前記金融決済用カードは、クレジットカード、デビットカード、及びキャッシュカードのうちから選択されたいずれか１つを含むことを特徴とする請求項１１に記載のバーコードを用いた代金決済サービスの方法。
【請求項１９】
バーコードを用いた代金決済サービスを提供するためのサービス会社のサーバー装置であって、
外部装置とのデータ送受信を行う送受信部と、
サーバー装置の内部構成要素間の関係を制御及び管理する制御部と、
販売者が金融会社に加盟店登録をすることにより提供された販売加盟店情報と、販売加盟店識別情報を相互に変換する販売加盟店識別情報変換部と、
前記送受信部を通じて送受信されるか、若しくは内部装置で使用または生成される販売者、購買者、または決済に関する情報が保管されるストレージ装置と、
前記送受信部を通じて提供される購買者の決済バーコードを判読し、前記決済バーコードに符号化されている情報を収集する決済バーコード判読部と、を含むサーバー装置。
【請求項２０】
前記販売加盟店識別情報変換部で生成された前記販売加盟店識別情報及び購買者が販売者に決済しなければならない取引に関する情報を含む決済バーコードを生成する、決済バーコード生成部をさらに含むことを特徴とする請求項１９に記載のサーバー装置。
【請求項２１】
前記販売加盟店識別情報は、１次元バーコード、２次元バーコード、及び３次元バーコードのうちから選択されたいずれか１つの形態であることを特徴とする請求項１９または２０に記載のサーバー装置。
【請求項２２】
前記決済バーコードは、１次元バーコード、２次元バーコード、及び３次元バーコードのうちから選択されたいずれか１つの形態であることを特徴とする請求項１９または２０に記載のサーバー装置。
【請求項２３】
販売者またはサービス会社から提供された決済バーコードを読み取ることができるバーコード判読部と、
購買者の金融決済用カードからカード顧客情報を収集する金融決済用カード判読部を含み、
前記バーコード判読部を通じて収集したバーコードの情報及び前記金融決済用カード判読部から収集した購買者のカード顧客情報を用いて、前記金融決済用カードに対応する金融会社に承認要請を伝送し、前記金融会社から伝達された承認応答に基づいてカード決済処理が行われるバーコード決済用カード照会機。
【発明の詳細な説明】
【技術分野】
【０００１】
本発明は、購買者が販売者の管理下にある有線または無線のカード照会機や支払いゲートウェイを用いなくても代金をカードで決済できる代金決済サービスのための方法及び装置に関するものである。
【背景技術】
【０００２】
支払いと領収を含む商取引を行うと、これに伴う金銭の流れが発生する。購買者は、購買した商品またはサービスの対価として、特定の金額を販売者に支払わなければならない。即ち、一般に、購買者と販売者の間には代金決済の問題が発生する。現代社会は、このような代金決済の方法が多様化しており、流通貨幣により現金で決済する方法、銀行の口座間の振込みを通じ決済する方法、企業の場合は小切手等を通じ決済する小切手決済方式等がある。特に、大韓民国は、クレジットカード産業が非常に発達し、カードの使用量及び利用範囲が非常に広く、多くの商取引をクレジットカードで決済するカード決済市場が発達している。
【０００３】
一般に、カード取引が成立するためには、次の２種類の情報が必須である。それらの情報は、カード会社が購買者に発行した決済用カードに符号化されているカード情報（以下、「カード顧客情報」という）と、販売者とカード会社との間の契約に基づいてカード会社から発行される販売者の識別情報（以下、「販売加盟店情報」という）である。勿論、決済の金額及び割賦内訳等のような情報（以下、「取引内訳情報」という）も必要であるが、この情報は、基本的に各取引時に決まる固定条件であるため、変動のない固定値とみなされる。従って、カード取引において核心的な情報は、誰（購買者）が誰（販売者）に決済する取引であるかを見出すことである。
【０００４】
より具体的に説明すると、販売者がカードで販売代金の決済を受けるためには、カード会社別に加盟店契約を結び、カード会社の決まった方式に従って夫々のカード加盟店番号の付与を受ける。この加盟店番号がカード顧客情報と共にカード決済処理を可能にする。
【０００５】
以下、図１（ａ）及び図１（ｂ）を用いて通常のカード決済処理に対して詳細に説明する。
【０００６】
図１（ａ）は、一般的にカード会社の加盟店として登録されている販売者の管理下にあるカード照会機の一例を示し、図１（ｂ）は、カード照会機を用いた従来のカード決済手続を示す。
【０００７】
カード取引時、図１（ａ）に示したカード照会機１００のＬＣＤ画面上には、先ず、図１（ｂ）に示したように「カードを読ませてください」という案内文が表示される。購買者から決済カードを受け取った販売者は、購買者のカード２００をカードリーダー１１０に通す(ｓｗｉｐｅ)。カード照会機１００は、カード２００の裏面にある磁気ストライプ２１０のトラックIIから、カード番号、有効期限等のカード顧客情報を含む符号化された情報を読み取る。ここで、トラックIIは、カード情報領域を表すものである。勿論、種々のカード顧客情報は、カードの種類に応じて様々に異なる方法で生成される。例えば、ＩＣカードの場合にはＩＣチップからカード顧客情報が読み取られ、デビットカードの場合にはトラックIIIからカード顧客情報が読み取られる。
【０００８】
図１（ｂ）に示したように、取引金額及び割賦月数を含むカード取引についての種々の取引内訳情報は、カード照会機１００のキーパッドを押すことにより入力される。カード照会機１００は、読み取ったカード顧客情報と入力された取引金額及び割賦月数等に基づいてカード取引承認要請ステートメントを作成し、このステートメントを、承認仲介処理会社を介して、購買者にカードを発行したカード会社に伝送する。カード取引承認要請ステートメントを受け取った承認仲介処理会社（以下、「サービス会社」という）は、カード取引時に生成されたカード照会機の情報（通常、カード端末機ＩＤ）から、承認を要請したカードが使われた販売加盟店の販売加盟店情報を検索し、カード取引承認要請メッセージに販売加盟店情報を追加して、この取引承認をカード会社に対して要請する。カード取引承認要請ステートメントを受け取ったカード会社は、カード顧客情報と販売加盟店情報に基づいて 承認が可能か否かを審査し、審査の結果をサービス会社に伝送し、次いで、サービス会社は、カード照会機１００に承認結果を伝送する。カード照会機１００は、カード会社から伝送された承認番号と共に承認伝票を出力し、これによって、取引承認手続が完了する。
【０００９】
このように、購買者が現物のカードを用いて代金を決済する場合、販売者の管理下にあるカード照会機が、販売代金を受け取る加盟店であることを通知する装置として用いられる。即ち、支払いを受ける必要がある販売者は、自分の有線または無線のカード照会機を所有及び管理していなければならない。上述した取引承認手続と同様に、インターネットショッピングモールの場合も、インターネット決済プログラムである支払いゲートウェイ（Ｐａｙｍｅｎｔ  Ｇａｔｅｗａｙ：ＰＧ）を用いた加盟店認証手続または加盟店代行サービスを通じて取引が行われる。この同様性は、代金を受け取る販売者の通知が、上述した手続でしか行われないことの結果である。
【００１０】
従って、購買者が現物のカードにより直接販売者に決済することは、通常、最も理想的で安全なカード取引であるものの、上述した手続でしか決済できない場合は、購買者であるカード保有者が現物のカードによる決済を願い、加盟店である販売者がカード決済を受けようとしても、購買者が加盟店を訪問するか、または加盟店の販売者が無線端末機を携えて購買者を訪問しない限り、購買者が現物のカードで直接販売者に決済することはできない。
【発明の開示】
【発明が解決しようとする課題】
【００１１】
上記のような問題点を解決するための本発明の第１の目的は、販売者により所有及び管理されているカード照会機を用いなくても、購買者が金融決済用カードを用いて代金を決済できるサービスを提供する方法及び装置を提供することである。
【００１２】
本発明の第２の目的は、教育費、保険料、公共料金、賃貸料を含む日常生活に関連する取引及び事業者間決済（Ｂ２Ｂ）のような、現物のカードを用いた支払いが困難な商取引で使用するための、金融決済用カードを用いた決済サービスを提供する方法及び装置を提供することである。
【課題を解決するための手段】
【００１３】
上記のような目的を達成するため、本発明によるバーコードを用いた代金決済サービスの方法は、販売者が金融会社に加盟店登録をした後に提供された販売加盟店情報を確認し、販売加盟店識別情報を生成して提供する第１段階と、販売者からの要請に応じて、前記販売加盟店識別情報及び購買者が販売者に決済しなければならない取引の取引内訳情報を収集して、前記販売加盟店識別情報及び前記取引内訳情報を含み、かつ購買者に提供される決済バーコードを生成する第２段階と、前記決済バーコードを提供された購買者が該購買者の金融決済用カード及び前記決済バーコードを用いて行った決済要請の受領に応じて、前記決済バーコードを判読して前記販売加盟店識別情報を収集し、対応する販売者の前記販売加盟店情報を確認する第３段階と、購買者の収集された前記取引内訳情報及び販売者の確認された前記販売加盟店情報を用いて、前記金融決済用カードに対応する金融会社に対して、購買者の販売者に対する決済の決済承認要請をする第４段階と、を含む。
【００１４】
上記のような目的を達成するために本発明の他の実施形態によるバーコードを用いた代金決済サービスの方法は、販売者が金融会社に加盟店登録をした後に提供された販売加盟店情報を確認し、販売加盟店識別情報を生成して提供する第１段階と、前記販売加盟店識別情報及び購買者が販売者に決済しなければならない取引の取引内訳情報を含む決済バーコードの生成及び前記決済バーコードの購買者への提供の両方が販売者によって実施された後、前記決済バーコードを提供された購買者が該購買者の金融決済用カード及び前記決済バーコードを用いて行った決済要請の受領に応じて、前記決済バーコードを判読して前記販売加盟店識別情報を収集し、対応する販売者の前記販売加盟店情報を確認する第２段階と、収集された購買者の前記取引内訳情報及び確認された販売者の前記加盟店情報を用いて、前記金融決済用カードに対応する金融会社に対して、購買者の販売者に対する決済の決済承認要請をする第３段階と、を含む。
【００１５】
上記のような目的を達成するために本発明のさらに他の実施形態によるバーコードを用いた代金決済サービスを提供するためのサービス会社のサーバー装置は、外部装置とのデータ送受信を行う送受信部と、サーバー装置の内部構成要素間の関係を制御及び管理する制御部と、販売者が金融会社に加盟店登録をすることにより提供された販売加盟店情報と、販売加盟店識別情報を相互に変換する販売加盟店識別情報変換部と、前記送受信部を通じて送受信されるか、若しくは内部装置で使用または生成される販売者、購買者、または決済に関する情報が保管されるストレージ装置と、前記送受信部を通じて提供される購買者の決済バーコードを判読し、前記決済バーコードに符号化されている情報を収集する決済バーコード判読部と、を含む。
【００１６】
上記のような目的を達成するために本発明のさらに他の実施形態によるバーコード決済用カード照会機は、販売者またはサービス会社から提供された決済バーコードを読み取ることができるバーコード判読部と、購買者の金融決済用カードからカード顧客情報を収集する金融決済用カード判読部を含み、前記バーコード判読部を通じて収集したバーコードの情報及び前記金融決済用カード判読部から収集した購買者のカード顧客情報を用いて、前記金融決済用カードに対応する金融会社に承認要請を伝送し、前記金融会社から伝達された承認応答に基づいてカード決済処理が行われる。
【発明の効果】
【００１７】
上述したように、本発明のバーコードを用いた代金決済のための方法及びシステムは、カード照会機及びインターネット決済プログラム（ＰＧ）の代わりに、バーコードを用いた加盟店認証を実施することによって、時間的、空間的に制約されることなく、広範囲の商取引に適用することができる。その結果、カード取引に、利便性と、カード保有者が現物のカードで直接決済することができることによる安全性とを与えることが可能になる。これらの効果は、カード取引の多様な需要を満たすことができるため、カード産業の発展に寄与するものである。さらに、加盟店の販売者によって所有及び管理されているカード照会機やインターネット決済プログラム（ＰＧ）を使用しなくてもカード取引が可能であるため、教育費、地方税を含む各種税金、公共料金、通信費、事業者間決済（Ｂ２Ｂ）等のカード決済が可能となる。また、カード決済を推進することによって、従来の決済では通常は殆ど発見できない非合法取引を根絶することにも寄与する。
【発明を実施するための最良の形態】
【００１８】
以下、添付の図面を参照し、本発明が属する技術分野で通常の知識を有する者が本発明を容易に実施できる好ましい実施形態を詳細に説明する。但し、本発明の好ましい実施形態に対する動作原理の詳細な説明において、関連のある公知の機能または構成に対する具体的な説明が本発明の要旨を不必要に不明確にすると判断される場合は、その詳細な説明を省略する。また、図面全体にわたって類似な機能及び作用をする部分については同じ符号を用いる。
【００１９】
図２は、本発明の一実施形態によるバーコードを用いた代金決済サービスを提供するために相互に協調して機能する装置間の関係を示すための全体システムの構成図である。
【００２０】
図２を参照すると、本発明の実施形態によりバーコードを用いた代金決済サービスを提供するためには、販売者１００、金融会社２００、サービス会社３００、購買者４００、及びバーコード決済用カード照会機５００が、相互に協調する必要がある。
【００２１】
金融会社２００は、クレジットカード、デビットカード、またはキャッシュカード等のように個人が携帯できる金融決済用カードを磁気カードまたはＩＣカードの形態で購買者４００に提供し、購買者４００が上記金融決済用カードを用いて販売者１００に対する決済を行うと、その決済代金を購買者４００に代わって販売者１００に支給する。本発明の実施形態に適用できる金融会社２００としては、カード会社、銀行、または第２金融圏の金融会社（非銀行系金融機関）等を挙げることができる。
【００２２】
金融会社２００は、購買者４００に代わって決済代金を販売者１００に支給するために、販売者１００から加盟店の申請を受け、販売者１００の販売加盟店情報を生成し、生成された販売加盟店情報を販売者１００に提供する。
【００２３】
販売者１００は、購買者４００に代金の決済を要請し、購買者４００が代金を金融決済用カードで決済すると、金融会社２００から販売者１００に代金が支給される。この決済手続のために、販売者１００は、サービス会社３００から提供された販売加盟店識別情報及び取引内訳情報を含むように作成された決済バーコードを、直接購買者４００に提供する。あるいは、販売者１００は、上記決済バーコードを購買者４００に提供するようにサービス会社３００に請求する。
【００２４】
本発明に適用できる販売者１００としては、商品やサービスを製造または販売し、その対価に対する代金決済要請を行う会社のみではなく、税金、反則金等のような非対価性代金決済要請をすることができる公共機関、行政機関、ボランティア団体、または宗教団体等を挙げることが出来る。
【００２５】
サービス会社３００は、金融会社２００から販売者１００に与えられた販売加盟店情報の提供を受け、受け取った販売加盟店情報に基づいて販売加盟店識別情報を生成し、この販売加盟店識別情報を販売者１００に提供する。また、サービス会社３００は、購買者４００が販売者１００に対して行った決済に対する承認要請をバーコード決済用カード照会機５００から受信し、この承認要請に含まれる決済バーコードから販売加盟店識別情報を収集して対応する販売加盟店情報に変換し、この承認要請を金融会社２００に伝達する。また、サービス会社３００は、販売者１００の要請に応じて、販売加盟店４００の販売加盟店識別情報及び取引内訳情報を含むように決済バーコードを作成し、購買者４００または販売者１００に提供する。
【００２６】
購買者４００は、販売者１００またはサービス会社３００から代金決済要請と共に決済バーコードを受け取ると、バーコード決済用カード照会機５００に自分のカードと上記決済バーコードを入力し、販売者１００に対する決済を行う。
【００２７】
バーコード決済用カード照会機５００は、クレジットカード、デビットカード、またはキャッシュカード等のような金融決済用カードからカード顧客情報を収集し、購買者４００が販売者１００に対して行った決済に対する承認要請をサービス会社３００に提供することで、決済の承認要請をする。この時、上記承認要請には、販売者１００またはサービス会社３００から購買者に提供された決済バーコードから収集した情報が加えられる。本実施形態において、バーコード決済用カード照会機５００は、従来のカード照会機に、バーコードを認識することができるバーコードリーダーが取り付けられている形態が好ましい。
【００２８】
本発明の実施形態によるバーコード決済用カード照会機５００では、購買者４００からバーコードリーダーを通じて読み取った決済バーコードに符号化されている販売者名、決済項目、金額、購買者名等を含む取引内訳情報が表示され、購買者がその取引内訳情報を確認することができる。表示された取引内訳情報を確認した後、購買者が所望の割賦月数を選択して入力すると、バーコード決済用カード照会機５００は、販売者１００と購買者４００の間の決済を許可するように、金融会社２００に要請することができる。
【００２９】
本発明の実施形態によるバーコード決済用カード照会機５００は、販売者１００が所有及び管理している形態であってもよく、または、銀行、コンビニエンスストア、公共機関等に設けられ、他の加盟店で使用されている形態であってもよい。
【００３０】
以下、図３〜図５を参照し、本発明の様々な実施形態によるバーコードを用いた代金決済サービスの方法を詳細に説明する。
【００３１】
図３は、本発明の他の実施形態によるバーコードを用いた代金決済サービスにおいて、実際の代金決済サービスを提供するための初期手続を説明するための流れ図である。この初期手続において、サービス会社３００は、金融会社２００から提供された販売加盟店情報に基づいて販売加盟店識別情報を生成し、この販売加盟店識別情報を販売者１００に提供する。
【００３２】
先ず、販売者１００は、複数の金融会社２００に夫々加盟店登録要請を行う（Ｓ３００）。この要請において、販売者１００は、多数の金融会社２００と加盟店契約を結び、加盟店として登録される。各金融会社２００は、上記要請に対する応答として販売加盟店情報を提供する（Ｓ３０５）。各金融会社２００は、カード取引時に販売加盟店情報に基づいて販売者を認識する。
【００３３】
次いで、販売加盟店情報を受け取った販売者１００は、サービス会社３００にバーコードを用いた代金決済サービスのための登録を行う（Ｓ３１０）。サービス会社３００は、バーコードを用いた代金決済サービスを提供するために、販売者１００と該当の金融会社２００との間の加盟店登録に関する情報が必要となる。このため、サービス会社３００は、該当の金融会社２００から販売者１００に提供された販売加盟店情報の提供を受け、この販売加盟店情報に基づいて販売加盟店識別情報を生成し、生成された販売加盟店識別情報を販売者１００に提供する。本実施形態において、サービス会社３００は、販売加盟店識別情報を１次元バーコードまたは２次元バーコードの形態で作成して、販売者１００に提供することができる。
【００３４】
図４は、本発明のさらに他の実施形態によるバーコードを用いた代金決済サービスの手続を概略的に説明するための流れ図である。
【００３５】
先ず、サービス会社３００は、販売者１００から決済バーコードの生成の要請を受ける（Ｓ４００）。この要請に際して、サービス会社３００は、販売者１００から決済バーコードの生成に必要な販売加盟店識別情報及び取引内訳情報の提供を受ける。
【００３６】
サービス会社３００は、上記要請に応じて、決済バーコードを生成し、この決済バーコードを販売者１００に提供する（Ｓ４０５）。この時、決済バーコードの生成は、サービス会社３００で行うことも、または、提携する他のバーコード運営会社で行うこともできる。本実施形態において、決済バーコードは、太線と細線で２進化して表示した１次元バーコード、小さい四角形の中に２次元のシンボルで高密度にコード化した２次元バーコード、及び３次元立体バーコードのうちから選択されたいずれか１つであってもよい。
【００３７】
次いで、販売者１００は、購買者４００に代金決済要請を行う（Ｓ４１０）。この代金決済要請は、サービス会社３００で生成された決済バーコードと共に購買者４００に提供される。決済バーコードを購買者４００に提供するために本実施形態に適用できる方法として、バーコードリーダーで読み取った時に決済バーコードに符号化されている情報を損なうことなく維持できる任意の方法を使用することができる。例えば、各種請求書や印刷物に決済バーコードを印刷して郵送する方法、携帯電話のメールで決済バーコードを送信する方法、またはインターネットの電子メールに決済バーコードイメージを挿入する方法等を挙げることができる。
【００３８】
Ｓ４１０段階で販売者１００が代金決済要請を行うとき、販売者１００は、購買者４００の便宜のために取引内訳に関する情報を付加的に提供することができる。例えば、代金請求書に決済バーコードを印刷して郵送する場合、代金請求書に、決済バーコードに加えて、決済の項目及び金額等に関する情報を購買者が直接確認できる形態で追記することができる。
【００３９】
次いで、代金決済要請を受けた購買者４００は、バーコード決済用カード照会機５００を用いて代金を決済する（Ｓ４１５）。即ち、購買者４００は、販売者１００から代金決済要請と共に決済バーコードを受け取ると、バーコード決済用カード照会機５００に自分の金融決済用カードと受け取った決済バーコードを入力することにより、販売者１００に対する決済を行う。この時、購買者４００は、販売者１００が所有及び管理しているバーコード決済用カード照会機５００のみではなく、銀行、コンビニエンスストア、または公共機関等に設けられ、販売者１００により所有及び管理されていない別のバーコード決済用カード照会機５００を用いて、Ｓ４１５段階の決済を行うことができる。
【００４０】
購買者４００がＳ４１５段階の決済を行うと、バーコード決済用カード照会機５００は、入力された決済バーコード情報及びカード顧客情報をサービス会社３００に提供すると共に、サービス会社３００に対してこの決済の承認を要請する（Ｓ４２０）。
【００４１】
次いで、サービス会社３００は、バーコード決済用カード照会機５００から提供された決済バーコード情報を確認して購買者４００が決済する対象である販売者１００の販売加盟店識別情報を収集した後、収集した情報に基づいて販売者１００の販売加盟店情報を収集する（Ｓ４２５）。
【００４２】
この時、サービス会社３００は、バーコード決済用カード照会機５００から提供された決済バーコード情報から、購買者４００が販売者１００に決済しなければならない取引の取引内訳情報も収集する。
【００４３】
次いで、サービス会社３００は、バーコード決済用カード照会機５００から提供されたカード顧客情報、決済バーコードから確認された取引内訳情報、及び販売加盟店情報を用いて、金融会社２００に決済承認要請を行う（Ｓ４３０）。
【００４４】
金融会社２００は、サービス会社３００から提供された種々の情報に基づいて承認が可能か否かを審査し、販売者１００に対する決済を完了する（Ｓ４３５）。
【００４５】
図５は、本発明のさらに他の実施形態によるバーコードを用いた代金決済サービスの手続を概略的に説明するための流れ図である。
【００４６】
先ず、販売者１００は、決済バーコードを生成する（Ｓ５００）。この決済バーコードの生成において、販売者１００は、図３に示す例と同様に、サービス会社３００から提供された販売加盟店識別情報及び購買者４００に決済を要請する取引内訳情報を用いて、決済バーコードを生成する。この時、決済バーコードの生成は、サービス会社３００で行うことも、または、提携する他のバーコード運営関連会社で行うこともできる。本実施形態において、決済バーコードは、太線と細線で２進化して表示した１次元バーコード、小さい四角形の中に２次元のシンボルで高密度にコード化した２次元バーコード、及び３次元立体バーコードのうちから選択されたいずれか１つであってもよい。
【００４７】
次いで、販売者１００は、購買者４００に代金決済要請を行う（Ｓ５０５）。この代金決済要請は、販売者１００が生成した決済バーコードと共に購買者４００に提供される。決済バーコードを購買者４００に提供するために本実施形態に適用できる方法として、バーコードリーダーで読み取った時に決済バーコードに符号化されている情報を損なうことなく維持できる任意の方法を使用することができる。例えば、各種請求書や印刷物に決済バーコードを印刷して郵送する方法、携帯電話のメールで決済バーコードを送信する方法、またはインターネットの電子メールに決済バーコードイメージを挿入する方法等を挙げることができる。
【００４８】
Ｓ５０５段階で販売者１００が代金決済要請をする時、販売者１００は、購買者４００の便宜のために取引内訳に関する情報を付加的に提供することができる。例えば、代金請求書に決済バーコードを印刷して郵送する場合、代金請求書に、決済バーコードに加えて、決済の項目及び金額等に関する情報を購買者が直接確認できる形態で追記することができる。
【００４９】
次いで、代金決済要請を受けた購買者４００は、バーコード決済用カード照会機５００を用いて代金を決済する（Ｓ５１０）。即ち、購買者４００は、販売者１００から代金決済要請と共に決済バーコードを受け取ると、バーコード決済用カード照会機５００に自分の金融決済用カードと受け取った決済バーコードを入力することにより、販売者１００に対する決済を行う。この時、購買者４００は、販売者１００が所有及び管理しているバーコード決済用カード照会機５００のみではなく、銀行、コンビニエンスストア、または公共機関等に設けられ、販売者１００により所有及び管理されていない別のバーコード決済用カード照会機５００を用いて、Ｓ５１０段階の決済を行うことができる。
【００５０】
購買者４００がＳ５１０段階の決済を行うと、バーコード決済用カード照会機５００は、入力された決済バーコード情報及びカード顧客情報をサービス会社３００に提供すると共に、サービス会社３００に対してこの決済の承認を要請する（Ｓ５１５）。
【００５１】
次いで、サービス会社３００は、バーコード決済用カード照会機５００から提供された決済バーコード情報を確認して購買者４００が決済する対象である販売者１００の販売加盟店識別情報を収集した後、収集した情報に基づいて販売者１００の販売加盟店情報を収集する（Ｓ５２０）。
【００５２】
この時、サービス会社３００は、バーコード決済用カード照会機５００から提供された決済バーコード情報から、購買者４００が販売者１００に決済しなければならない取引の取引内訳情報も収集する。
【００５３】
次いで、サービス会社３００は、バーコード決済用カード照会機５００から提供されたカード顧客情報、決済バーコードから確認された取引内訳情報、及び販売加盟店情報を用いて、金融会社２００に決済承認要請を行う（Ｓ５２５）。
【００５４】
金融会社２００は、サービス会社３００から提供された情報に基づいて承認が可能か否かを審査し、販売者１００に対する決済を完了する（Ｓ５３０）。
【００５５】
図６は、本発明のさらに他の実施形態によるバーコードを用いた代金決済サービスの手続を概略的に説明するための流れ図である。
【００５６】
先ず、販売者１００は、サービス会社３００に購買者４００に対する決済要請を行うことを依頼する（Ｓ６００）。この依頼に際して、サービス会社３００は、販売者１００から決済バーコードの生成に必要な販売加盟店識別情報及び取引内訳情報の提供を受ける。
【００５７】
サービス会社３００は、上記依頼に応じて決済バーコードを生成する（Ｓ６０５）。この時、決済バーコードの生成は、サービス会社３００で行うことも、または、提携する他のバーコード運営関連会社で行うこともできる。本実施形態において、決済バーコードは、太線と細線で２進化して表示した１次元バーコード、小さい四角形の中に２次元のシンボルで高密度にコード化した２次元バーコード、または３次元立体バーコードのうちから選択されたいずれか１つであってもよい。
【００５８】
次いで、サービス会社３００は、購買者４００に代金決済要請を行う（Ｓ６１０）。この代金決済要請は、サービス会社３００で生成された決済バーコードと共に購買者４００に提供される。決済バーコードを購買者４００に提供するために本実施形態に適用できる方法として、バーコードリーダーで読み取った時に決済バーコードに符号化されている情報を損なうことなく維持できる任意の方法を使用することができる。例えば、各種請求書や印刷物に決済バーコードを印刷して郵送する方法、携帯電話のメールで決済バーコードを送信する方法、またはインターネットの電子メールに決済バーコードイメージを挿入する方法等を挙げることができる。
【００５９】
Ｓ６１０段階で販売者１００が代金決済要請を行うとき、販売者１００は、購買者４００の便宜のために取引内訳に関する情報を付加的に提供することができる。例えば、代金請求書に決済バーコードを印刷して郵送する場合、代金請求書に、決済バーコードに加えて、決済の項目及び金額等に関する情報を購買者が直接確認することができる形態で追記することができる。
【００６０】
次いで、代金決済要請を受けた購買者４００は、バーコード決済用カード照会機５００を用いて代金を決済する（Ｓ６１５）。即ち、購買者４００は、販売者１００から代金決済要請と共に決済バーコードを受け取ると、バーコード決済用カード照会機５００に自分の金融決済用カードと受け取った決済バーコードを入力することにより、販売者１００に対する決済を行う。この時、購買者４００は、販売者１００が所有及び管理しているバーコード決済用カード照会機５００のみではなく、銀行、コンビニエンスストア、または公共機関等に設けられ、販売者１００により所有及び管理されていない別のバーコード決済用カード照会機５００を用いて、Ｓ６１５段階の決済を行うことができる。
【００６１】
購買者４００がＳ６１５段階の決済を行うと、バーコード決済用カード照会機５００は、入力された決済バーコード情報及びカード顧客情報をサービス会社３００に提供すると共に、サービス会社３００に対してこの決済の承認を要請する（Ｓ６２０）。
【００６２】
次いで、サービス会社３００は、バーコード決済用カード照会機５００から提供された決済バーコード情報を確認して購買者４００が決済する対象である販売者１００の販売加盟店識別情報を収集した後、収集した情報に基づいて販売者１００の販売加盟店情報を収集する（Ｓ６２５）。
【００６３】
この時、サービス会社３００は、バーコード決済用カード照会機５００から提供された決済バーコード情報から、購買者４００が販売者１００に決済しなければならない取引の取引内訳情報も収集する。
【００６４】
次いで、サービス会社３００は、バーコード決済用カード照会機５００から提供されたカード顧客情報、決済バーコードから確認された取引内訳情報、及び販売加盟店情報を用いて、金融会社２００に決済承認要請を行う（Ｓ６３０）。
【００６５】
金融会社２００は、サービス会社３００から提供された情報に基づいて承認が可能か否かを審査し、販売者１００に対する決済を完了する（Ｓ６３５）。
【００６６】
以下、図７を参照して、本発明のさらに他の実施形態によるバーコードを用いた代金決済サービスを提供するためのサービス会社のサーバー装置を詳細に説明する。図７は、本発明のさらに他の実施例によるバーコードを用いた代金決済サービスを提供するためのサービス会社のサーバー装置の構成を示した構成図である。
【００６７】
サーバー装置３００は、送受信部３１０、制御部３２０、販売加盟店識別情報変換部３３０、ストレージ装置３４０、決済バーコード判読部３５０、及び決済バーコード生成部３６０を含んでいる。
【００６８】
送受信部３１０は、図２に図示したようなバーコードを用いた代金決済サービスを提供するために相互に協調して機能する種々の装置とのデータ送受信を行う有線または無線の通信装置である。送受信部３１０は、必要に応じて変調／復調モジュール、増幅器等の付加装置を含むものであってもよい。
【００６９】
制御部３２０は、サーバー装置３００の内部構成要素間の関係を制御及び管理する。
【００７０】
販売加盟店識別情報変換部３３０は、販売者が金融会社に加盟店登録をすることにより提供された販売加盟店情報と、販売加盟店識別情報とを相互に変換する。
【００７１】
ストレージ装置３４０は、送受信部３１０を通じて送受信されるか、若しくは内部装置で使用または生成される販売者、購買者、または決済に関する情報が保管される揮発性または非揮発性の記憶装置である。ストレージ装置３４０の種類及びストレージ装置３４０に保管される情報の種類及び量は、金融取引に伴う信任関係に応じて、当業者の選択により決定することができる。
【００７２】
決済バーコード判読部３５０は、送受信部３１０を通じて提供される購買者の決済バーコードを判読し、決済バーコードに符号化されている情報を収集する。
【００７３】
決済バーコード生成部３６０は、該当の販売者に応じて販売加盟店識別情報変換部３３０で生成された販売加盟店識別情報、及び、購買者が販売者に決済する取引の情報を含むバーコードを生成する。本実施形態において、決済バーコードは、太線と細線で２進化して表示した１次元バーコード、小さい四角形の中に２次元のシンボルで高密度にコード化した２次元バーコード、及び３次元立体バーコードのうちから選択されたいずれか１つであってもよい。
【００７４】
以上、本発明を好適な実施形態と関連させて説明してきたが、添付請求項によって定義される本発明の精神及び範囲から逸脱することなく様々な修正及び変更が可能なことは、当業者にとって明らかである。
【図面の簡単な説明】
【００７５】
【図１】（ａ）は、一般的にカード会社の加盟店として登録されている販売者の管理下にあるカード照会機の一例を示した図面である。（ｂ）は、（ａ）のカード照会機を用いた従来のカード決済手続を示した流れ図である。
【図２】本発明の一実施形態によるバーコードを用いた代金決済サービスを提供するために相互に協調して機能する装置間の関係を示すための全体システムの構成図である。
【図３】本発明の他の実施形態によるバーコードを用いた代金決済サービスにおいて、実際の代金決済サービスを提供するための初期手続を説明するための流れ図である。
【図４】本発明のさらに他の実施形態によるバーコードを用いた代金決済サービスの手続を概略的に説明するための流れ図である。
【図５】本発明のさらに他の実施形態によるバーコードを用いた代金決済サービスの手続を概略的に説明するための流れ図である。
【図６】本発明のさらに他の実施形態によるバーコードを用いた代金決済サービスの手続を概略的に説明するための流れ図である。
【図７】本発明のさらに他の実施形態によるバーコードを用いた代金決済サービスを提供するためのサービス会社のサーバー装置の構成を示した構成図である。
【図１】
2009521764.tif 000003
【図２】
2009521764.tif 000004
【図３】
2009521764.tif 000005
【図４】
2009521764.tif 000006
【図５】
2009521764.tif 000007
【図６】
2009521764.tif 000008
【図７】
2009521764.tif 000009
【国際調査報告】
2009521764.tif 000010
2009521764.tif 000011